(57)【要約】【課題】簡単な構成でありながら遮光物体の影に相当する形状をディスプレイ上に適切に再現表示することができるディスプレイ装置を提供する。【解決手段】受光面を持つ受光センサと、該受光面近傍に設けられたＬＥＤ部と、受光センサからの出力に応じてＬＥＤ部を発光駆動する駆動回路とから成るユニットを複数備え、前記ユニットの受光面とＬＥＤ部とを２次元平面上に多数配列したディスプレイ装置であって、前記駆動回路は、受光センサにより入射する外光が遮断されてから有限の所定時間経過後に、ＬＥＤを点灯することを特徴とする。【選択図】      図１
2005010712.tif 000002
【特許請求の範囲】
【請求項１】
受光面を持つ受光センサと、該受光面近傍に設けられたＬＥＤ部と、受光センサからの出力に応じてＬＥＤ部を発光駆動する駆動回路とから成るユニットを複数備え、前記ユニットの受光面とＬＥＤ部とを２次元平面上に多数配列したディスプレイ装置であって、
前記駆動回路は、受光センサにより入射する外光が遮断されてから有限の所定時間経過後に、ＬＥＤを点灯することを特徴とするディスプレイ装置。
【発明の詳細な説明】
【０００１】
【発明の属する技術分野】
本発明は、ディスプレイ装置に関し、特に、外部光に対して物体が形成する影に相当する部分を点灯させることにより視覚的な効果を奏するディスプレイ装置に関する。
【０００２】
【従来の技術】
外部光に対して物体が形成する影に相当する部分を点灯させることにより視覚的な効果を奏するディスプレイ装置としては、本願発明の発明者が先に提案した実用新案文献１記載のディスプレイ装置が知られている。
【０００３】
この装置は、平面壁面に設けられた装置であって、受光面を持つ受光センサと、該受光面近傍に設けられたＬＥＤと、受光センサからの出力に応じてＬＥＤを発光駆動する駆動回路と、から成るユニットを複数備えており、各ユニットの受光面とＬＥＤとを２次元平面上に多数配列することによりディスプレイ装置が構成されている。そして、外部に設けられた光源からの光が、受光センサに入射しないで遮光されている状態でＬＥＤが点灯するよう構成されている。
【０００４】
このような構成によって、光源とディスプレイ装置との間に介在する遮光物体の影に相当する形状をディスプレイ上に再現表示することができる。特に、遮光物体の動作やその材質に関係なく、即座に影に相当する形状が表示されるという視覚的効果を奏するので、広告宣伝などに効果的であった。
【実用新案文献１】
実開平４−７７１９０号公報
【０００５】
【発明が解決しようとする課題】
しかしながら、実用新案文献１に記載されたディスプレイ装置では、ディスプレイ装置に外光が遮断されてすぐにＬＥＤが発光してしまう。このため、このディスプレイ装置を壁面等に設置した場合は、表示が煩雑であるという問題があった。
【０００６】
本発明はこのような状況に鑑みてなされたものであって、その目的は、簡単な構成でありながら、遮光物体の影に相当する形状をディスプレイ上に適切に再現表示することができるディスプレイ装置を提供することである。
【０００７】
【課題を解決するための手段】
上記目的を達成するために、受光面を持つ受光センサと、該受光面近傍に設けられたＬＥＤ部と、受光センサからの出力に応じてＬＥＤ部を発光駆動する駆動回路とから成るユニットを複数備え、前記ユニットの受光面とＬＥＤ部とを２次元平面上に多数配列したディスプレイ装置であって、前記駆動回路は、受光センサにより入射する外光が遮断されてから有限の所定時間経過後に、ＬＥＤを点灯することを特徴とする。
【０００８】
【発明の実施の形態】
以下、本発明を実施したディスプレイ装置を、図面を参照しつつ説明する。図１は、本発明の一実施形態のディスプレイ装置１を表す図である。実施形態のディスプレイ装置１では、２次元平面に縦方向及び横方向に多数の受光センサとその近傍に配置されたＬＥＤ部からなるユニット２が２次元配列されている。なお、ユニットに含まれる受光センサとしては、フォトトランジスタ等の光電変換センサを使用することが可能である。ユニットに含まれるＬＥＤ部には、ＲＧＢ等の所望カラーのものや白色ＬＥＤ等を用いることができる。
【００１１】
図２は、実施形態のディスプレイ装置の駆動回路の一例を示す回路図である。図２に示された駆動回路において、直流電圧を供給する正極に対して、可変抵抗１４を介して、フォトトランジスタ１１のコレクタが接続されている。また、同じく、抵抗とコンデンサを介して、マルチバイブレータ１３が接続されている。さらに、抵抗１２を介してＬＥＤ１２が接続されている。
【００１２】
以上の構成において、外光供給源として、外光を放射するランプ等を設置した環境において、本実施形態のディスプレイ装置１を配置する。この状況において、フォトトランジスタ１１へ入射する外光が弱くなると、フォトトランジスタ１１のベース電圧が上がり、回路の分圧が変化してマルチバイブレータ１３に信号が入射する。マルチバイブレータ１３は、フリップフロップ機能を持つトランジスタ回路で、信号入力後所定時間経過後にスイッチＯＮする作用を持つ。この機能を利用して、フォトトランジスタ１１のベース電圧が上がったタイミングから有限の所定時間経過後に、ＬＥＤ１２を点灯させるのに必要な電流がＬＥＤ１２に流れるように信号出力を行うよう構成することが可能となる。なお、この所定時間は、マルチバイブレータ１３に接続された抵抗とコンデンサを適宜選択することにより調整することができる。これらを回路設定後にも調整可能とするために、抵抗とコンデンサの両方あるいは少なくとも一方を可変抵抗と可変コンデンサにしてもよい。
【００１３】
以上のようにして、実施形態の駆動回路では、フォトトランジスタ１１に入射する外光に応じて、ＬＥＤ１２を有限の所定時間経過後に点灯させることができる。したがって、ランプ等の外光供給源と、ディスプレイ装置１の間に遮光物体が介在してもすぐには遮光物体に対応する影が表示されず、少し遅れて表示されるから、観察者に対して大きなインパクトを与えるディスプレイ装置を提供することができる。また、本実施形態のディスプレイ装置をエンターテーメント施設に配置した場合、簡単な構成であるにもかかわらず、大きな演出効果を達成することができる。
【００１４】
なお、フォトトランジスタ１１に入射する外光のしきい値レベルは、可変抵抗１４を適宜選択することにより調整可能である。同様に、ＬＥＤ１２の発光強度は、接続された抵抗を適宜選択することにより行うことができる。
【００１５】
なお、上記実施形態では、ハードウェア回路により駆動回路を制御する方法を示したが、これに限られず、ソフトウェアタイマーを駆動回路中に設定してもよい。また、ＬＥＤは複数色を備えてもよい。さらに、外光が入射している状態では表示なしでも表示されていてもよく、表示されている場の画像は任意であり、無地静止画像に限られず、所定の静止画／動画などであってもよいことはいうまでもない。加えて、フォトトランジスタ１１が検出する外光は可視光に限られず、赤外波長域であってもよい。
【００１６】
【発明の効果】
以上、説明したように、本発明によれば、簡単な構成でありながら遮光物体の影に相当する形状をディスプレイ上に適切に再現表示することができるディスプレイ装置を提供することができた。
【図面の簡単な説明】
【図１】本発明を実施した実施形態のディスプレイ装置を示す斜視図
【図２】ユニットの駆動回路を示す回路図
【符号の説明】
１：ディスプレイ装置
１１：フォトトランジスタ
１２：ＬＥＤ
１３：マルチバイブレータ
【図１】
2005010712.tif 000003
【図２】
2005010712.tif 000004